(57)【特許請求の範囲】
【請求項１】
汚水槽と、前記汚水槽内に設置され、汚水の吸込及び吐出を行う汚水ポンプと、前記汚水ポンプから吐出された汚水を外部に送水する圧送管とを備えたマンホールポンプ場において用いられる災害対応型マンホールポンプ場バックアップシステムであって、
前記汚水槽の外部に設置される予備ポンプと、
前記予備ポンプから前記汚水槽内に垂設され、前記汚水槽内の汚水を吸込むための吸込ホースと、
前記予備ポンプから前記汚水槽内に垂設されるとともに前記圧送管に連結され、前記吸込まれた汚水を吐出するための吐出ホースと、を備え、
前記予備ポンプは、前記汚水ポンプが停止した場合に設置され、前記吸込ホースを介して前記汚水槽内の汚水を吸込み、前記吐出ホースを介して前記圧送管に前記汚水を吐出することを特徴とする災害対応型マンホールポンプ場バックアップシステム。
【請求項２】
前記汚水ポンプと前記圧送管との間に介設される水平管には、前記吐出ホースを連通可能に接続する接続部が形成されていることを特徴とする請求項１に記載の災害対応型マンホールポンプ場バックアップシステム。
【請求項３】
前記接続部において、前記吐出ホースと前記水平管とはカップリング方式で接続されることを特徴とする請求項２に記載の災害対応型マンホールポンプ場バックアップシステム。
【請求項４】
前記予備ポンプは、エンジンポンプであることを特徴とする請求項１に記載の災害対応型マンホールポンプ場バックアップシステム。
【請求項５】
前記吸込ホースに固定され、前記予備ポンプの起動水位及び停止水位の検知を行う電極棒を備えたことを特徴とする請求項１に記載の災害対応型マンホールポンプ場バックアップシステム。
【請求項６】
前記予備ポンプには、太陽光で発電を行うソーラーパネルと、前記ソーラーパネルによって発電された電力を蓄電可能なソーラーバッテリーとが設けられ、
前記予備ポンプは、前記ソーラーバッテリーに蓄えられた電力に基づいて駆動することを特徴とする請求項１に記載の災害対応型マンホールポンプ場バックアップシステム。
【発明の詳細な説明】
【技術分野】
【０００１】
本発明は、災害対応型のマンホールポンプ場のバックアップシステムに関する。
【背景技術】
【０００２】
従来、下水道等の中継地点に設置されるマンホール形式ポンプ場（以下、単に「マンホールポンプ場」と称する）が知られている。マンホールポンプ場とは、マンホールの中にポンプを設置した簡易な中継ポンプ場である。このようなマンホールポンプ場に関し、これまで各種発明がなされてきた（例えば、特許文献１、２参照）。
【０００３】
特許文献１には、自家発電装置を備えたマンホールポンプシステムにおいて、自家発電装置の容量の大型化を阻止すべく、ポンプを駆動する誘導電動機の始動電流を低減する技術が開示されている。特許文献２には、マンホールポンプ場において、停電等の異常が発生したときに、その異常をランク付けして警報する技術が開示されている。
【先行技術文献】
【特許文献】
【０００４】
【特許文献１】特開２００２−２７９５６９号公報
【特許文献２】特開２００１−１３２６４８号公報
【発明の概要】
【発明が解決しようとする課題】
【０００５】
ところで、上記マンホールポンプ場で用いられるポンプは、地震時や不慮の故障で自動停止したり、マンホール又はポンプ設備の点検、修繕、補修等の際に手動停止されたりする場合がある。この場合、ポンプの停止時間が長くなると、下水が地表に溢れ出る溢水被害や、汚水が管路内に停滞することでし渣や汚泥が管路内に沈積して下水管が閉塞し易くなる問題等がある。
【０００６】
しかしながら、上記従来のマンホールポンプ場では、ポンプが停止した場合の復旧を迅速に行える仕組みになっていなかった。
【０００７】
図５は、従来のマンホールポンプ場の全体構成例を示す図である。図５では、マンホールポンプ場１００の地中断面図を示している。
【０００８】
図５に示す従来のマンホールポンプ場１００は、汚水槽（マンホール井）５１、汚水ポンプ５２、流入管５３、圧送管５４、水平管５５等から構成される。汚水ポンプ５２を駆動するための電源等については図示を省略している。このマンホールポンプ場１００は、下水管や配水管の中継地点に設置されるものである。
【０００９】
図５に示す従来のマンホールポンプ場１００では、流入管５３を介して排水・下水が汚水槽５１内に流入し、汚水ポンプ５２が汚水槽５１内の排水・下水を吸込む。汚水ポンプ５２によって吸込まれた下水は、水平管５５を経由して圧送管５４に送水される。
【００１０】
このようなマンホールポンプ場１００において、何らかの理由により汚水ポンプ５２が停止した場合、仮復旧に配慮した構造を有していないために、仮復旧に多大な労力と時間と費用が必要であった。
【００１１】
すなわち、通常、マンホールポンプ場の復旧作業は、バキューム車で下水を吸引し、次のマンホール等の下水道施設まで輸送したり、又は別途に仮設する予備ポンプをマンホール内に搬入・設置し、この予備ポンプにより次の自然流下区間のマンホール又はマンホールポンプ場等にバイパスで圧送したりする必要があり、大掛かりな作業、時間及び多大な工事費が必要だった。
【００１２】
本発明は、上記のような事情に鑑みてなされたものであって、ポンプが停止した場合の復旧を迅速に行うことが可能な災害対応型マンホールポンプ場バックアップシステムを提供することを目的とする。
【課題を解決するための手段】
【００１３】
上記の目的を達成するために、本発明に係る災害対応型マンホールポンプ場バックアップシステムは、汚水槽と、前記汚水槽内に設置され、汚水の吸込及び吐出を行う汚水ポンプと、前記汚水ポンプから吐出された汚水を外部に送水する圧送管とを備えたマンホールポンプ場において用いられる災害対応型マンホールポンプ場バックアップシステムであって、前記汚水槽の外部に設置される予備ポンプと、前記予備ポンプから前記汚水槽内に垂設され、前記汚水槽内の汚水を吸込むための吸込ホースと、前記予備ポンプから前記汚水槽内に垂設されるとともに前記圧送管に連結され、前記吸込まれた汚水を吐出するための吐出ホースと、を備え、前記予備ポンプは、前記汚水ポンプが停止した場合に設置され、前記吸込ホースを介して前記汚水槽内の汚水を吸込み、前記吐出ホースを介して前記圧送管に前記汚水を吐出することを特徴とする。
【発明の効果】
【００１４】
本発明によれば、マンホールポンプ場においてポンプが停止した場合の復旧を迅速に行うことができる。
【図面の簡単な説明】
【００１５】
【図１】本実施形態に係る災害対応型マンホールポンプ場バックアップシステムを含むシステム全体構成例を示す上面図である。
【図２】図１のＡ−Ａにおける断面図である。
【図３】図１のＢ−Ｂにおける断面図である。
【図４】図１〜図３の枠Ｃの拡大図である。
【図５】従来のマンホールポンプ場の全体構成例を示す図である。
【発明を実施するための形態】
【００１６】
以下、本発明の実施形態について説明する。
【００１７】
［システムの全体構成］
図１は、本実施形態に係る災害対応型マンホールポンプ場バックアップシステムを含むシステム全体構成例を示す上面図である。図１では、マンホールポンプ場１０を鉛直上方から見た図を示している。
【００１８】
図２は、図１のＡ−Ａにおける断面図である。図３は、図１のＢ−Ｂにおける断面図である。図４は、図１〜図３の枠Ｃの拡大図である。
【００１９】
図１〜図３において、本実施形態に係るマンホールポンプ場１０は、吸込ホース１、エンジンポンプ２、ソーラーパネル２ａ、ソーラーバッテリー２ｂ、吐出ホース３、バイパス管４、電極棒５、汚水槽（マンホール井）６、汚水ポンプ７、流入管８、圧送管９等から構成される。このマンホールポンプ場１０は、下水管や配水管の中継地点に設置されるものである。
【００２０】
図１〜図３における矢印は液体の流れを示している。
【００２１】
また、図１〜図３に示す構成要素のうち、特に吸込ホース１、エンジンポンプ２、ソーラーパネル２ａ、ソーラーバッテリー２ｂ、吐出ホース３、バイパス管４、電極棒５を総称する場合、災害対応型マンホールポンプ場バックアップシステム２０と称する。災害対応型マンホールポンプ場バックアップシステム２０（以下、単に「バックアップシステム２０」と称する）は、マンホールポンプ場１０が災害や故障等により停止している間、仮復旧を迅速に行うことを可能にするためのシステムである。以下、各構成要素について説明する。
【００２２】
吸込ホース１は、図２や図３に示すように、一端側がエンジンポンプ２に接続されるとともに、他端側が汚水槽６内に垂設され、汚水槽６内の汚水ポンプ７付近の汚水を吸込む（吸引する）ための中空の管体である。
【００２３】
エンジンポンプ２は、汚水ポンプ７が停止した場合に仮復旧用に外部に仮設される汚水用の予備ポンプであり、汚水槽６の地表開口部近傍の地面に設置される。このエンジンポンプ２は、吸込ホース１を介して汚水槽６内の汚水を吸込み、吐出ホース３を介して、吸込まれた汚水を圧送管９に吐出するエンジン内蔵式のポンプである。エンジン内蔵式のポンプであるため、災害時等に電力供給が遮断されることで稼働の可否を左右されない利点がある。なお、エンジンポンプ２の代わりに、他の例えばモーター式のポンプ等を予備ポンプとしても良い。
【００２４】
このエンジンポンプ２には、太陽光で発電を行うソーラーパネル２ａと、ソーラーパネル２ａによって発電された電力を蓄電可能なソーラーバッテリー２ｂとが設けられ、エンジンポンプ２は、ソーラーバッテリー２ｂに蓄えられた電力に基づいて駆動する。これにより、エンジンポンプ２のエンジン点火用の電力が不足しないように発電と充電を行うことが可能である。
【００２５】
またエンジンポンプ２は、エンジンポンプ２のオン・オフを切り替える制御回路２ｃを備えており、この制御回路２ｃは、後述する電極棒５から発せされる導通信号に基づいてエンジンポンプ２のオン・オフを切り替える制御を行う。
【００２６】
吐出ホース３は、一端側がエンジンポンプ２に接続され、他端側が汚水槽６内に垂設されるとともにバイパス管４を介して圧送管９に連結され、吸込ホース１で吸込まれた汚水を、バイパス管４を介して圧送管９に吐出するための中空の管体である。
【００２７】
バイパス管４は、圧送管９の頂上部に設置され、吐出ホース３の端部を接続するための逆Ｔ字状（図３参照）の水平管であり、汚水ポンプ７と圧送管９との間に介設される。
【００２８】
本実施形態に係るマンホールポンプ場１０では、従来の水平管５５（図５参照）に代えて、このバイパス管４を設置することにより、圧送管９が仮復旧用のエンジンポンプ２により圧縮された汚水を受け入れることが可能となる。このバイパス管４と吐出ホース３との接続態様については、図４を用いて後述する。
【００２９】
電極棒５は、吸込ホース１に固定され、汚水槽６内の水位を検知する水位検知手段である。この電極棒５は汚水の水面を検知すると導通信号を発し、エンジンポンプ２内の制御回路２ｃにオン・オフを指示して制御を行う。この電極棒５が水面の検知を開始するための起動スイッチ（不図示）が押下されると、本バックアップシステム２０の動作は開始する。
【００３０】
この電極棒５は、図２や図３に示すように、流入管８の直下部に配置される上側電極棒５ａと、吸込ホース１の端部より少し上方の位置に設置される下側電極棒５ｂとを含み、いずれも吸込ホース１に固定される。
【００３１】
上側電極棒５ａにより水面が検知されると、エンジンポンプ２は起動する。一方、下側電極棒５ｂにより水面が検知されると、エンジンポンプ２は停止する。すなわち、上側電極棒５ａ、下側電極棒５ｂは、それぞれエンジンポンプ２の起動水位、停止水位を検知するものと言い換えることができる。
【００３２】
なお、エンジンポンプ２の起動水位と停止水位の検知をフロート式の検知器で行うと、きょう雑物がフロートに絡まることで動作不良が生じて制御不能の原因となることから、電極棒５で水位検知を行い、電極棒５を吸込ホース１に固定することで稼働中のトラブルを低減させる利点がある。
【００３３】
汚水ポンプ７は、汚水槽６内に設置され、汚水槽６内の汚水の吸込及び吐出を行う、電動機とポンプとが一体化して構成された２台のポンプである。この汚水ポンプ７の電動機を駆動するための電源等については図１〜図３において図示を省略している。
【００３４】
流入管８は、図２や図３に示すように、汚水槽６内の鉛直方向中間よりやや上の位置に設けられ、上流から流れてきた排水・下水を汚水槽６内に流入させる中空の管体である。
【００３５】
圧送管９は、流入管８より高い位置に設けられ、汚水ポンプ７又はエンジンポンプ２によって圧力を高められた排水・下水を送水するための中空の管体である。
【００３６】
以上に示す構成により、本実施形態に係るマンホールポンプ場１０では、吸込ホース１、エンジンポンプ２（ソーラーバッテリー２ｂ付）、吐出ホース３、バイパス管４及び電極棒５からなるバックアップシステム２０の設備を追加している。これにより、マンホールポンプ場１０が災害や故障等により停止している間、仮復旧を迅速に行うことを可能にしている。
【００３７】
また、当該マンホールポンプ場１０のポンプ場としての機能を確保することができ、下水管路内における下水の滞留による地上部への溢水を防ぐことができる。また、下水が管路内に停滞することでし渣や汚泥が管路内に沈積して下水管が閉塞し易くなるといった二次的な被害の発生を防ぐことができる。さらに、簡便に当該マンホールポンプ場１０の機能を復旧させることができることにより、バキューム車による輸送や大掛かりなバイパスによる圧送を行うことで工事費が多大に発生することを防ぐことができる。
【００３８】
なお、上記説明において、エンジンポンプ２は、マンホールポンプ場１０の災害時等における電力供給断絶時における仮復旧のための仮設の汚水ポンプであり、吸込ホース１、吐出ホース３及びバイパス管４は仮復旧のための配管であると言い換えることができる。
【００３９】
［吐出ホースとバイパス管の接続構造例］
図４は、図１〜図３の枠Ｃの拡大図である。図４では、吐出ホース３とバイパス管４との接続構造の一例を示している。
【００４０】
図４に示すように、バイパス管４の管頂部には、吐出ホース３を連通可能に接続するための接続部４ｂが形成されており、吐出ホース３の端部に形成されたワンタッチジョイント３ａと接続部４ｂとは簡易に脱着可能に構成されている。これにより、マンホールポンプ場１０が停止した際には、ワンタッチジョイント３ａと接続部４ｂとは迅速にカップリング方式で接続される。
【００４１】
なお、ワンタッチジョイント３ａと接続部４ｂとをカップリング接続した後にバルブ４ａを開放することによって、吐出ホース３からバイパス管４を介して圧送管９への汚水の送水が可能になる。これにより、復旧の迅速性を高めることができる。
【００４２】
以上に示す構成により、本実施形態に係るバックアップシステム２０によれば、地震時や不慮の故障によりマンホールポンプ場１０が停止した場合に、エンジンポンプ２やバイパス管４等を用いて、緊急時に対応し、即時に供用開始が可能になる。
【００４３】
以下、このバックアップシステム２０の実施例を説明する。
【００４４】
［実施例１］
以下、実施例１として、本バックアップシステム２０を新規のマンホールポンプ場に適用する場合について説明する。
【００４５】
新規のマンホールポンプ場１０で本システムを採用する場合は、あらかじめ、圧送管９の水平管（図５の水平管５５に対応）を本実施形態に係るＴ字状のバイパス管４に変更しておくことで、当該マンホールポンプ場１０の仮復旧の迅速性を確保する。
【００４６】
加えて、仮復旧時に必要となる本バックアップシステム２０、すなわち吸込ホース１、エンジンポンプ２（ソーラーバッテリー２ｂ付）、吐出ホース３及び電極棒５の設備を準備する。
【００４７】
マンホールポンプ場１０の汚水ポンプ７が停止した際には、当該マンホールポンプ場１０の外部にエンジンポンプ２を設置し、吐出ホース３をバイパス管４の接続部４ｂへワンタッチジョイント３ａによりカップリング方式で接続し、吸込ホース１を設置した後、バルブ４ａを開放する。
【００４８】
当該マンホールポンプ場１０の仮復旧の始動は、当該マンホールポンプ場１０の汚水槽６に挿入した吸込ホース１に取り付けられた電極棒５が水面を検知するための起動スイッチ（不図示）が押下され、エンジンポンプ２が起動することにより開始する。
【００４９】
始動後は、電極棒５が下水の水面を検知し、自動的にエンジンポンプ２のオンとオフを制御する。
【００５０】
［実施例２］
次に、実施例２として、本バックアップシステム２０を既存のマンホールポンプ場に適用する場合について説明する。
【００５１】
既存のマンホールポンプ場で本システムを採用する場合は、あらかじめ、既存のマンホールポンプ場の水平管（図５の水平管５５に対応）を本実施形態に係るＴ字状のバイパス管４に変更しておくことで、図１〜図３に示すマンホールポンプ場１０に変更し、当該マンホールポンプ場１０の仮復旧の迅速性を確保する。
【００５２】
加えて、仮復旧時に必要となる本バックアップシステム２０、すなわち吸込ホース１、エンジンポンプ２（ソーラーバッテリー２ｂ付）、吐出ホース３及び電極棒５の設備を準備する。
【００５３】
マンホールポンプ場１０の汚水ポンプ７が停止した際には、当該マンホールポンプ場１０の外部にエンジンポンプ２を設置し、吐出ホース３をバイパス管４の接続部４ｂへワンタッチジョイント３ａによりカップリング方式で接続し、吸込ホース１を設置した後、バルブ４ａを開放する。
【００５４】
当該マンホールポンプ場１０の仮復旧の始動は、当該マンホールポンプ場１０の汚水槽６に挿入した吸込ホース１に取り付けられた電極棒５が水面を検知するための起動スイッチ（不図示）が押下され、エンジンポンプ２が起動することにより開始する。
【００５５】
始動後は、電極棒５が下水の水面を検知し、自動的にエンジンポンプ２のオンとオフを制御する。
【００５６】
［実施例３］
以下、実施例３として、本バックアップシステム２０を何らかの理由で停止せざるを得ない既存のマンホールポンプ場に適用する場合について説明する。
【００５７】
既存のマンホールポンプ場で何らかの理由で停止せざるを得ないときに本システムを採用する場合は、あらかじめ、既存のマンホールポンプ場の水平管（図５の水平管５５に対応）を本実施形態に係るＴ字状のバイパス管４に変更できるように、バイパス管４を準備しておくことで、当該マンホールポンプ場の仮復旧の迅速性を確保する。
【００５８】
停止させる前に、既存のマンホールポンプ場の水平管をＴ字のバイパス管４に変更する。これにより、図１〜図３に示すマンホールポンプ場１０に変更する。
【００５９】
加えて、仮復旧時に必要となる本バックアップシステム２０、すなわち吸込ホース１、エンジンポンプ２（ソーラーバッテリー２ｂ付）、吐出ホース３及び電極棒５の設備を準備する。
【００６０】
マンホールポンプ場１０の汚水ポンプ７が停止した際には、当該マンホールポンプ場１０の外部にエンジンポンプ２を設置し、吐出ホース３をバイパス管４のＴ字の管頂部へワンタッチジョイント３ａによりカップリング方式で接続し、吸込ホース１を設置した後、バルブ４ａを開放する。
【００６１】
当該マンホールポンプ場１０の仮復旧の始動は、当該マンホールポンプ場１０の汚水槽６に挿入した吸込ホース１に取り付けられた電極棒５が水面を検知するための起動スイッチ（不図示）が押下され、エンジンポンプ２が起動することにより開始する。
【００６２】
始動後は、電極棒５が下水の水面を検知し、自動的にエンジンポンプ２のオンとオフを制御する。
【００６３】
［実施例４］
以下、実施例４として、本バックアップシステム２０を災害やメンテナンス等の何らかの理由で停止した既存のマンホールポンプ場に適用する場合について説明する。
【００６４】
災害やメンテナンス等の何らかの理由で既存のマンホールポンプ場が停止してしまった後に本バックアップシステム２０を採用する場合は、あらかじめ、既存のマンホールポンプ場の水平管（図５の水平管５５に対応）を本実施形態に係るＴ字状のバイパス管４に変更できるように、バイパス管４を準備しておくことで、当該マンホールポンプ場の仮復旧の迅速性を確保する。
【００６５】
停止してしまったマンホールポンプ場には既に下水が停滞しているため、作業性を確保するためにバキューム車で溜まった下水を吸引し除去させた上で、当該マンホールポンプ場の水平管をＴ字のバイパス管４に変更する。これにより、図１〜図３に示すマンホールポンプ場１０に変更する。
【００６６】
加えて、仮復旧時に必要となる本バックアップシステム２０、すなわち吸込ホース１、エンジンポンプ２（ソーラーバッテリー２ｂ付）、吐出ホース３及び電極棒５の設備を準備する。
【００６７】
マンホールポンプ場１０の汚水ポンプ７が停止した際には、当該マンホールポンプ場１０の外部にエンジンポンプ２を設置し、吐出ホース３をバイパス管４の接続部４ｂへワンタッチジョイント３ａによりカップリング方式で接続し、吸込ホース１を設置した後、バルブ４ａを開放する。
【００６８】
当該マンホールポンプ場１０の仮復旧の始動は、当該マンホールポンプ場１０の汚水槽６に挿入した吸込ホース１に取り付けられた電極棒５が水面を検知するための起動スイッチ（不図示）が押下され、エンジンポンプ２が起動することにより開始する。
【００６９】
始動後は、電極棒５が下水の水面を検知し、自動的にエンジンポンプ２のオンとオフを制御する。
【００７０】
（まとめ）
以上説明してきたように、本実施形態に係るバックアップシステム２０によれば、事故、故障やメンテナンスのために汚水ポンプ７が停止した場合に、マンホールポンプ場１０のマンホール内の圧送管９、マンホール外部に別途仮設する予備のポンプ（エンジンポンプ２）、マンホールからの吸込管８および圧送管９への吐出ホース３で構成するシステムを迅速かつ簡便に連結させることで、マンホールポンプ場１０の復旧を迅速、簡便且つ安価にすることを可能としている。
【００７１】
また、本実施形態に係るバックアップシステム２０によれば、マンホールポンプ場１０のマンホール内の圧送管９の水平管を、仮復旧用に外部に設置されるエンジンポンプ２からの配管（吐出ホース３）の接続用の形状を持たせたバイパス管４に変更することで、圧送管９が仮復旧用のエンジンポンプ２からの汚水の圧送を受け入れることを可能としている。
【００７２】
また、本実施形態に係るバックアップシステム２０によれば、吐出ホース３を取り付けるための接続部４ａは、仮復旧用に外部に設置するエンジンポンプ２からの吐出ホース３をバイパス管４に迅速に取り付けるべく、消防用ホースの接続方法と同様のカップリング方式により脱着する仕組みを採用している。これにより、迅速かつ簡便に吐出ホース３を接続部４ａに接続することができる。
【００７３】
また、本実施形態に係るバックアップシステム２０によれば、仮復旧用に外部に設置される仮設の汚水用のポンプをエンジンポンプ２とすることで、災害時に電力供給が遮断されていても稼動することが可能になり、災害対応性を高めることができる。
【００７４】
また、本実施形態に係るバックアップシステム２０によれば、水位検知を電極棒５で行い、電極棒５を吸込ホース１に固定することで、稼働中のトラブルを低減させることができる。仮に仮設のエンジンポンプ２の起動水位と停止水位の検知をフロート式の検知器で行うと、きょう雑物がフロートに絡まることで動作不良が生じて制御不能の原因となり得るが、これを防止することができる。
【００７５】
また、本実施形態に係るバックアップシステム２０によれば、ソーラーパネル２ａやソーラーバッテリー２ｂを用いるため、エンジンポンプ２のエンジン点火用の電力が不足することがないように発電を行い、発電により生じた電力を充電することが可能になる。
【００７６】
以上、本発明の一実施形態について説明したが、上記実施形態は本発明の適用例の一つを示したものであり、本発明の技術的範囲を上記実施形態の具体的構成に限定する趣旨ではない。
【００７７】
例えば、上記説明においては、バイパス管４に接続部４ｂが形成される場合を例示して説明したが、この場合には限らない。例えば、圧送管９において、吐出ホース３を連通可能に接続する接続部が形成されてもよい。また、上記説明においては、接続部４ｂにおいて、吐出ホース３とバイパス管４とがカップリング方式で接続される場合を例示して説明したが、その他の接続態様であってもよい。また、上記説明においては、電極棒５がエンジンポンプ２の起動水位及び停止水位の検知を行う場合を例示して説明したが、その他の手段によってエンジンポンプ２の起動水位及び停止水位を検知してもよい。さらに、上記説明においては、エンジンポンプ２の駆動電源がソーラーパネル２ａ及びソーラーバッテリー２ｂである場合を例示して説明したが、その他の駆動電源を用いてもよい。
【符号の説明】
【００７８】
１        吸込ホース
２        エンジンポンプ
２ａ     ソーラーパネル
２ｂ     ソーラーバッテリー
３        吐出ホース
３ａ     ワンタッチジョイント
４        バイパス管
４ａ     バルブ
４ｂ     接続部
５        電極棒
６        汚水槽
７        汚水ポンプ
８        流入管
９        圧送管
１０     マンホールポンプ場
２０     災害対応型マンホールポンプ場バックアップシステム
【図１】
0005953572.tif 000002
【図２】
0005953572.tif 000003
【図３】
0005953572.tif 000004
【図４】
0005953572.tif 000005
【図５】
0005953572.tif 000006